(57)【要約】【課題】着用者の脚の動きに追従して変形可能であり、腰回り開口部の位置ずれを抑制することができる使い捨ておむつを提供する。【解決手段】  使い捨ておむつは、前胴回り域Ｓ１と、後胴回り域Ｓ２と、股下域Ｓ３と、製品幅方向に伸縮する第１伸縮性領域１１と、第１伸縮性領域よりも製品長手方向内側かつ脚回り開口部よりも製品長手方向外側に配置され、製品幅方向に伸縮する第２伸縮性領域１２と、を備える。前胴回り域の第１伸縮性領域と第２伸縮性領域の間には、中間領域Ｒ３が設けられている。前胴回り域の製品幅方向中央における中間領域の前記製品長手方向の長さは、前胴回り域の製品幅方向外側端部における中間領域の製品長手方向の長さよりも長い。【選択図】図３
2015073640.tif 000002
【特許請求の範囲】
【請求項１】
前胴回り域と、後胴回り域と、前記前胴回り域と前記後胴回り域との間に位置する股下域とを有し、
前記前胴回り域から前記後胴回り域に向かう製品長手方向と、前記製品長手方向と直交する製品幅方向と、を備え、
前記股下域を跨ぎ前記前胴回り域及び前記後胴回り域に延びる吸収性コアと、
着用者の腰が挿入される腰回り開口部と、
前記着用者の脚が挿入される脚回り開口部と、を備える使い捨ておむつであって、
前記製品幅方向に伸縮する第１伸縮性領域と、
前記第１伸縮性領域よりも前記製品長手方向内側、かつ前記脚回り開口部よりも前記製品長手方向外側に配置され、前記製品幅方向に伸縮する第２伸縮性領域と、を備え、
前記前胴回り域において前記第１伸縮性領域と前記第２伸縮性領域の間には、中間領域が設けられており、
前記前胴回り域の製品幅方向中央における前記中間領域の前記製品長手方向の長さは、前記前胴回り域の製品幅方向端部における前記中間領域の前記製品長手方向の長さよりも長い、使い捨ておむつ。
【請求項２】
前記第１伸縮性領域と前記第２伸縮性領域の間の領域の前記製品幅方向の伸縮率は、前記第１伸縮性領域が配置された領域の前記製品幅方向の伸縮率及び前記第２伸縮性領域が配置された領域の前記製品幅方向の伸縮率よりも低い、請求項１に記載の使い捨ておむつ。
【請求項３】
前記中間領域の製品幅方向外側端部には、前記製品長手方向に折り畳まれた襞によって形成されている、請求項１又は請求項２に記載の使い捨ておむつ。
【請求項４】
前記中間領域は、少なくとも前記製品長手方向に伸縮する伸縮性シートによって形成されている、請求項１から請求項３のいずれかに記載の使い捨ておむつ。
【請求項５】
前記吸収性コアは、前記第１伸縮性領域の前記製品長手方向の内側端部よりも前記製品長手方向外側に設けられている、請求項１から請求項４のいずれかに記載の使い捨ておむつ。
【請求項６】
前記吸収性コアは、前記第１伸縮性領域と前記第２伸縮性領域の間の領域には設けられてない、請求項５に記載の使い捨ておむつ。
【請求項７】
前記第１伸縮性領域及び前記第２伸縮性領域は、前記着用者の中腹部と下腹部の境界付近に対応して配置されている、請求項１から請求項６のいずれかに記載の使い捨ておむつ。
【請求項８】
前記第１伸縮性領域と前記前胴回り域の前側端部の距離は、前記製品幅方向において変化しており、
前記製品幅方向中央における前記第１伸縮性領域と前記前胴回り域の前側端部との距離は、前記前胴回り域の製品幅方向端部における前記第１伸縮性領域と前記前胴回り域の前側端部との距離よりも長い、請求項１から請求項７のいずれかに記載の使い捨ておむつ。
【発明の詳細な説明】
【技術分野】
【０００１】
本発明は、使い捨ておむつに関する。
【背景技術】
【０００２】
特許文献１には、前胴回り域と後胴回り域と股下域とを有し、一対の脚回り開口部が形成されると共に、股下域を跨ぎ前胴回り域及び後胴回り域に延びる吸収体を備えるパンツ型の使い捨ておむつが開示されている。特許文献１の使い捨ておむつは、吸収体の製品幅方向外側端部に沿って配置された第１伸縮弾性部材と、脚回り開口部に沿って配置された第２伸縮弾性部材と、を有している。
【０００３】
第１伸縮弾性部材と第２伸縮弾性部材は、平面視において交差するように配置されている。第１伸縮弾性部材と第２伸縮弾性部材は、脚回り開口部の周囲に連続して配置されており、着用者の脚回りにおけるフィット性を高める。また、使い捨ておむつの腰回り開口部の近傍には、製品幅方向に伸縮する腰回り伸縮弾性部材が配置されている。腰回り伸縮弾性部材は、着用者の腰回りにおけるフィット性を高める。
【先行技術文献】
【特許文献】
【０００４】
【特許文献１】特開２００２−２８１８１号公報
【発明の概要】
【発明が解決しようとする課題】
【０００５】
しかし、上述の使い捨ておむつには、以下の問題点があった。
【０００６】
特許文献１の使い捨ておむつは、腰回り開口部と脚回り開口部のフィト性が高いため、着用者が身体を動かした際は、腰回り開口部と脚回り開口部が身体に密着した状態で、使い捨ておむつ全体が変形する。例えば、着用者が脚を動かした際は、脚の動きに追従して使い捨ておむつの脚回り開口部が移動し、それに伴い使い捨ておむつ全体が変形する。このとき、腰回り開口部は、腰回り伸縮弾性部材によって身体にフィットした状態を維持できることが望ましい。
【０００７】
しかし、着用者の動きは、腰回りと脚回りで異なるため、使い捨ておむつが身体の動きに追従して変形できないことがある。例えば、乳幼児は、寝姿勢において脚を曲げたり伸ばしたりすることがある。脚を伸ばすと、着用者の脚回りが腰回りから離れる方向に移動し、脚を曲げると、脚回りが腰回りに近づく方向に移動する。すなわち、着用者の脚回りと腰回りの距離が変化する。よって、例えば、脚回り開口部が腰回り開口部から離れる方向に移動した結果、脚回り開口部と脚回り開口部との間の領域が突っ張ってしまうことがある。また、脚回り開口部が腰回り開口部から離れる方向に移動した結果、腰回り開口部が股下域側に引き下がってしまうことがある。
【０００８】
そこで、本発明は、上述の課題に鑑みてなされたものであり、着用者の脚の動きに追従して変形可能であり、腰回り開口部の位置ずれを抑制することができる使い捨ておむつを提供することを目的とする。
【課題を解決するための手段】
【０００９】
本開示に係る使い捨ておむつは、前胴回り域（前胴回り域Ｓ１）と、後胴回り域（後胴回り域Ｓ２）と、前記前胴回り域と前記後胴回り域との間に位置する股下域（股下域Ｓ３）とを有し、前記前胴回り域から前記後胴回り域に向かう製品長手方向（製品長手方向Ｌ）と、前記製品長手方向と直交する製品幅方向（製品幅方向Ｗ）と、を備え、前記股下域を跨ぎ前記前胴回り域及び前記後胴回り域に延びる吸収性コア（吸収性コア４）と、着用者の腰が挿入される腰回り開口部（腰回り開口部２１）と、前記着用者の脚が挿入される脚回り開口部（脚回り開口部２２）と、を備える使い捨ておむつであって、前記製品幅方向に伸縮する第１伸縮性領域（第１伸縮性領域１１）と、前記第１伸縮性領域よりも前記製品長手方向内側、かつ前記脚回り開口部よりも前記製品長手方向外側に配置され、前記製品幅方向に伸縮する第２伸縮性領域（第２伸縮性領域１２）と、を備え、前記前胴回り域の前記第１伸縮性領域と前記第２伸縮性領域の間には、中間領域（中間領域Ｒ３）が設けられており、前記前胴回り域の前記製品幅方向中央における前記中間領域の前記製品長手方向の長さは、前記前胴回り域の前記製品幅方向外側端部における前記中間領域の前記製品長手方向の長さよりも長いことを要旨とする。
【発明の効果】
【００１０】
着用者の脚の動きに追従して変形可能であり、腰回り開口部の位置ずれを抑制することができる使い捨ておむつを提供することができる。
【図面の簡単な説明】
【００１１】
【図１】本実施形態に係る使い捨ておむつの展開平面図である。
【図２】図１に示したＡ-Ａ線に沿った使い捨ておむつの断面図である。
【図３】図１に示したＢ-Ｂ線に沿った使い捨ておむつの断面図である。
【図４】本実施形態に係る使い捨ておむつを装着した状態を示す図である。
【図５】本実施形態に係る使い捨ておむつを装着した状態を示す図である。図５（ａ）は、脚を曲げた状態を示しており、図５（ｂ）は、脚を伸ばした状態を示している。
【発明を実施するための形態】
【００１２】
次に、本発明に係る使い捨ておむつ１の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１３】
したがって、具体的な寸法などは以下の説明を参酌して判断すべきである。また、図面相互間においても互いの寸法の関係や比率が異なる部分が含まれ得る。
【００１４】
図１は、本実施形態に係る使い捨ておむつ１を示す図である。使い捨ておむつ１は、パンツ型の使い捨ておむつである。
【００１５】
本実施形態に係る使い捨ておむつ１は、着用者の腹側に配置される前胴回り域Ｓ１と、着用者の背側に配置される後胴回り域Ｓ２と、着用者の股下に対応し、前胴回り域Ｓ１と後胴回り域Ｓ２との間に位置する股下域Ｓ３と、を有する。
【００１６】
使い捨ておむつは、着用者の身体前側と身体後側とに延びる製品長手方向Ｌと、製品長手方向に直交する製品幅方向Ｗと、製品厚み方向Ｔと、を有する。製品厚み方向Ｔは、着用者に向かう内方向（着用者の肌当接面側）Ｔ１と、内方向と反対側（着用者から離れる側）に向かう外方向（着用者の非肌当接面側）Ｔ２とを有する。
【００１７】
使い捨ておむつ１は、吸収性本体１Ａと、外装体１Ｂと、を備える。吸収性本体１Ａは、前胴回り域Ｓ１から後胴回り域Ｓ２に跨がって配置される。吸収性本体１Ａは、液透過性の表面シート２と、液不透過性の裏面シート３と、表面シート２と裏面シート３との間に配置される吸収体４と、裏面シート３よりも非肌接面側に位置する本体外装シート５を有する。
【００１８】
外装体１Ｂは、吸収性本体１Ａよりも外方向Ｔ２に配置されている。外装体は、前胴回り域Ｓ１と後胴回り域Ｓ２それぞれに配置されており、着用者の腰回りに配置される。外装体１Ｂは、外装シート１３と、伸縮性部材と、を有する。
【００１９】
図１は、使い捨ておむつを展開した状態を示す展開平面図である。図１に示す展開平面図は、使い捨ておむつ１を構成する部材（外装シート等）の皺が形成されない状態まで伸縮性部材等を伸長させた状態の図である。図２は、図１に示したＡ-Ａ線に沿った使い捨ておむつ1の断面図である。図３は、図１に示したＢ-Ｂ線に沿った使い捨ておむつ1の断面図である。
【００２０】
図１に示す状態から製品長手方向Ｌにおける中央を起点に、使い捨ておむつの肌当接面を内側にして前胴回り域Ｓ１の前側端部と後胴回り域Ｓ２の後側端部とが重なるように折り畳み、前胴回り域Ｓ１の製品幅方向Ｗにおける外側端部と後胴回り域Ｓ２の製品幅方向における外側端部とを接合することにより、図４に示すパンツ型の使い捨ておむつが形成される。図４に、前胴回り域Ｓ１の製品幅方向Ｗにおける外側端部と後胴回り域Ｓ２の製品幅方向における外側端部とを接合したサイド接合部３０を示す。
【００２１】
使い捨ておむつ１には、着用者の腰回りが挿入される腰回り開口部２１と、着用者の脚がそれぞれ挿入される一対の脚回り開口部２２と、が形成される。腰回り開口部２１は、外装体１Ｂの前側端部及び後側端部によって囲まれている。
【００２２】
吸収性本体１Ａを構成する表面シート２は、吸収体４よりも内側（着用者側）に位置する。表面シート２には、不織布や開孔プラスチックフィルムなどの液透過性のシートなどが使用される。
【００２３】
吸収性本体１Ａを構成する裏面シート３は、吸収体４よりも外方向側であって、外装体１Ｂよりも内方向側に配置される。裏面シート３には、液不透過性のシートなどが使用される。
【００２４】
吸収性本体１Ａを構成する吸収体４は、表面シート２及び裏面シート３の間に設けられ、着用者からの排泄物を吸収する。吸収体４は、粉砕パルプや高吸収性ポリマー粒子等の吸収性材料からなる吸収性コア４ａと、吸収性コア４ａを包むコアラップ４ｂと、を有する。
【００２５】
吸収性本体の吸収体よりも製品幅方向Ｗ外側には、製品長手方向に伸縮するレッグ伸縮性部材６が配置されている。レッグ伸縮性部材６は、表面シート２と本体外装シート５の間に配置されている。レッグ伸縮性部材６と後述する第２伸縮性領域１２によって、脚回り開口部２２を囲んで伸縮性部材が配置され、脚回り開口部２２が着用者に密着する。
【００２６】
外装体１Ｂを構成する外装シート１３は、前胴回り域に位置する吸収性本体よりも外方向側に配置され、後胴回り域に位置する吸収性本体よりも外方向側に配置されている。なお、外装シートは、前胴回り域において吸収性本体が配置されない領域及び後胴回り域において吸収性本体が配置されない領域において、着用者の肌に接する。
【００２７】
外装シート１３は、疎水性の不織布、透湿又は非透湿性のフィルム、若しくは疎水性の不織布と、透湿又は非透湿性フィルムとを貼り合わせた複合シートによって構成できる。
【００２８】
伸縮性部材は、第１伸縮性領域１１と、第２伸縮性領域１２と、を有する。第１伸縮性領域１１は、製品幅方向Ｗに伸縮する。第２伸縮性領域１２は、第１伸縮性領域１１よりも製品長手方向Ｌ内側、かつ脚回り開口部２２よりも製品長手方向外側に配置され、製品幅方向Ｗに伸縮する。図１において、第１伸縮性領域１１と第２伸縮性領域１２に異なるハッチングを付して示す。
【００２９】
第１伸縮性領域１１及び第２伸縮性領域１２は、前胴回り域と後胴回り域に配置され、使い捨ておむつがパンツ型に成形された状態で、それぞれ製品幅方向に連続している。
【００３０】
なお、本実施の形態の使い捨ておむつにおいて、第１伸縮性領域１１及び第２伸縮性領域１２は、前胴回り域と後胴回り域に配置され、製品幅方向に連続しているが、必ずしも当該構成に限られない。例えば、第１伸縮性領域１１及び第２伸縮性領域１２の少なくとも一方が前胴回り域のみに設けていてもよいし、第１伸縮性領域１１及び第２伸縮性領域１２の少なくとも一方が前胴回り域と後胴回り域においてずれていてもよい。
【００３１】
第１伸縮性領域１１及び第２伸縮性領域１２は、外装シート１３に内蔵されている。なお、第１伸縮性領域１１及び第２伸縮性領域１２は、外装シート１３よりも非肌当接面側に配置されてもよいし、外装シート１３よりも肌当接面側に配置されていてもよい。
【００３２】
第１伸縮性領域１１及び第２伸縮性領域１２は、ポリウレタン弾性繊維や天然ゴムからなる糸状の弾性部材を、１本又は複数本配置することによって構成されている。
【００３３】
なお、第１伸縮性領域１１及び第２伸縮性領域１２は、伸縮性シートによって構成されていてもよい。例えば、かかる伸縮性シートとしては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シートや、不織布をギア延伸加工することによって伸縮性が発現された不織布シート等を用いることができる。
【００３４】
次いで、前胴回り域Ｓ１の構成について詳細に説明する。前胴回り域Ｓ１は、外装体１Ｂと、吸収性本体１Ａの一部と、によって構成されている。外装体１Ｂを構成する外装シート１３は、前胴回り域全体に配置されている。
【００３５】
第１伸縮性領域１１は、製品幅方向に伸縮するように構成されている。第１伸縮性領域１１は、前胴回り域Ｓ１の前側端部よりも製品長手方向内側において、腰回り開口部２１に沿って延びている。第１伸縮性領域１１は、腰回り開口部２１と離間して配置されている。前胴回り域に配置された第１伸縮性領域１１は、製品幅方向中央が製品幅方向外側端部よりも製品長手方向内側に位置し、製品長手方向内側に向かって突出する凸形状である。また、使い捨ておむつがパンツ型に成形された状態において、第１伸縮性領域１１が着用者の胴回り方向に沿って配置されると、前胴回り域の腰回り開口部２１は、幅方向中央が上向きの凸形状となる。
【００３６】
前胴回り域において、第２伸縮性領域１２は、第１伸縮性領域１１よりも後胴回り域側（製品長手方向内側）に位置する。前胴回り域に配置された第２伸縮性領域は、製品幅方向に沿って配置されている。第１伸縮性領域１１と第２伸縮性領域１２は、図４に示す折り畳み状態（パンツタイプに成形された状態）で近接しており、図１に示す展開状態において、製品長手方向Ｌにおいて離間している。製品長手方向における第１伸縮性領域１１と第２伸縮性領域１２との間の中間領域Ｒ３には、外装シート１３が配置されている。
【００３７】
第１伸縮性領域１１が配置された第１領域Ｒ１は、第１伸縮性領域１１によって製品幅方向に伸縮する。第２伸縮性領域１２が配置された第２領域Ｒ２は、第２伸縮性領域１２によって製品幅方向に伸縮する。前胴回り域において製品長手方向における第１伸縮性領域１１と第２伸縮性領域１２との間に位置する中間領域Ｒ３は、第１伸縮性領域１１が配置されてなく、かつ第２伸縮性領域１２が配置されていない。図１において、中間領域Ｒ３に斜線を付して示す。
【００３８】
中間領域Ｒ３の製品長手方向の長さは、製品幅方向において変化している。具体的には、パンツ型に成形された状態、すなわち、前胴回り域の幅方向外側端部と後胴回り域の幅方向外側端部とが接合された状態で、前胴回り域の製品幅方向中央における中間領域Ｒ３の製品長手方向の長さは、前胴回り域の製品幅方向端部における中間領域の製品長手方向の長さよりも長い。
【００３９】
中間領域Ｒ３は、使い捨ておむつがパンツ型に成形された状態で、製品長手方向の長さが製品幅方向において異なるように構成されていればよい。本実施の形態の使い捨ておむつは、図１に示す展開状態において、前胴回り域の製品幅方向中央における中間領域Ｒ３の製品長手方向の長さは、前胴回り域の製品幅方向端部における中間領域Ｒ３の製品長手方向の長さよりも短い。しかし、使い捨ておむつがパンツ型に成形された状態で、前胴回り域の幅方向端部には、中間領域の製品長手方向の長さを短くするための襞が形成されている。襞５１は、中間領域Ｒ３の製品幅方向に沿った折り目によって折り畳まれている。
【００４０】
外装シート１３が折り畳まれて、外装シート１３に襞５１が形成された状態で、前胴回り域の外装シートと後胴回り域の外装シートとがサイド接合部３０において接合されることによって、パンツ型の使い捨ておむつが成形されている。よって、襞５１は、サイド接合部３０から製品幅方向内側に向かって延びている。外装シート１３には、襞によるたくれが設けられる。
【００４１】
なお、本実施の形態では、展開状態において、前胴回り域の製品幅方向中央における中間領域Ｒ３の製品長手方向の長さは、前胴回り域の製品幅方向端部における中間領域の製品長手方向の長さよりも短い。しかし、この構成に限定されない。例えば、展開状態において、前胴回り域の製品幅方向中央における中間領域Ｒ３の製品長手方向の長さは、前胴回り域の製品幅方向端部における中間領域Ｒ３の製品長手方向の長さよりも長くてもよいし、前胴回り域の製品幅方向端部における中間領域Ｒ３の製品長手方向の長さと同じであってもよい。
【００４２】
更に、展開状態において、前胴回り域の製品幅方向中央における中間領域Ｒ３の製品長手方向の長さは、前胴回り域の製品幅方向端部における中間領域Ｒ３の製品長手方向の長さよりも長い構成にあっては、中間領域の幅方向外側端部の長さを短くするための襞５１を形成しなくてもよい。
【００４３】
なお、前胴回り域の製品幅方向中央における中間領域の製品長手方向の長さＬａとは、使い捨ておむつの自然状態における長さである。自然状態とは、使い捨ておむつの両脇部を保持し、使い捨ておむつのウエスト開口部が上向きで、脚回り開口部が下向きになるように保持した状態である。すなわち、自然状態は、ウエスト開口部に吸収要素等のおむつ自身の重みがかかるようにした状態である。
【００４４】
また、前胴回り域の製品幅方向外側端部における中間領域の製品長手方向の長さＬｂは、着用者の足の動き等により使い捨ておむつに負荷が掛かった際を想定した負荷状態である。当該負荷状態は、使い捨ておむつの両脇部を保持し、使い捨ておむつのウエスト開口部が上向きで、脚回り開口部が下向きになるように保持した自然状態において、100mm幅当たり3Nの負荷がかかるように股下部におもりを吊り下げた状態である。  
また、吸収性本体の吸収性コア４ａは、前胴回り域に配置されている。吸収性コア４ａは、中間領域Ｒ３も製品長手方向外側に位置する第１吸収性コア４１ａと、中間領域Ｒ３よりも股下域側に位置する第２吸収性コア４２ａと、を有する。
【００４５】
第１吸収性コア４１ａは、製品厚み方向Ｔにおいて第１伸縮性領域１１と重なる領域と、第１伸縮性領域１１よりも製品長手方向外側に延びる領域と、に配置されている。
【００４６】
第２吸収性コア４２ａは、製品厚み方向Ｔにおいて第２伸縮性領域１２と重なる領域と、第２伸縮性領域１２よりも製品長手方向外側に延びる領域と、に配置されている。第２吸収性コア４２ａは、前胴回り域、股下域、及び後胴回り域に跨がって配置されている。第２吸収性コア４２ａの後胴回り域側の端部は、後胴回り域内に配置されている。
【００４７】
次いで、図４及び図５に基づいて、使い捨ておむつの装着状態について説明する。図４は、使い捨ておむつ１を装着した状態を示す斜視図である。図５は、使い捨ておむつの幅方向中心を通る断面を基準とした断面図である。図５（ａ）は、脚を曲げた状態を示しており、図５（ｂ）は、脚を伸ばした状態を示している。
【００４８】
使い捨ておむつが着用者に装着された状態で、着用者の腰回りに沿って前胴回り域及び後胴回り域が配置される。使い捨ておむつが着用者に装着された状態で、第１伸縮性領域１１及び第２伸縮性領域１２は、着用者の下腹部と中腹部の境界線付近に配置されている。また、脚回り開口部の一部に沿って第２伸縮性領域１２及びレッグ伸縮性部材が配置されているため、使い捨ておむつの脚回り開口部２２が着用者の脚回りに密着する。
【００４９】
前胴回り域の製品幅方向中央において、中間領域Ｒ３の製品長手方向外側端部と、前胴回り域の前側端部と、の製品長手方向の距離は、５０ｍｍである。当該寸法によれば、中間領域Ｒ３の製品長手方向外側端部が、着用者の中腹部と下腹部の境界に位置する。第１伸縮性領域及び第２伸縮性領域は、着用者の中腹部と下腹部の境界付近に対応して配置されている。当該境界近傍とは、着用者の中腹部と下腹部の境界から前側及び後側にそれぞれ１５ｍｍの範囲である。
【００５０】
中間領域Ｒ３の前胴回り域の製品幅方向中央における中間領域Ｒ３の製品長手方向の長さは、前胴回り域の製品幅方向端部における中間領域の製品長手方向の長さよりも長いため、着用者が脚を動かした際に、前胴回り域の製品幅方向中央における中間領域Ｒ３の製品長手方向の長さを広げることができる。よって、前胴回り域の製品幅方向中央において、使い捨ておむつの腰回り開口部２１と脚回り開口部２２との距離が長くなる。
【００５１】
寝姿勢において着用者が脚を伸ばすと、着用者の中腹部及び着用者の下腹部それぞれの肌が伸びる（重なり合っていた部分の露出も含む）。着用者が脚を伸ばすと、吸収体は、着用者の太腿に挟まれて、着用者の股間側に引っ張られる。このとき、第１伸縮性領域１１は、着用者の身体に対してほとんど移動せずに、第１伸縮性領域よりも製品長手方向内側の領域（中間領域Ｒ３及び第２領域Ｒ２を含む）が着用者の股間側に移動する。
【００５２】
中間領域Ｒ３の製品長手方向の長さは、幅方向外側端部よりも幅方向中央の方が長い。よって、中間領域Ｒ３の股下側の端部（中間領域Ｒ３の第１伸縮性領域側の端部）移動量は、製品幅方向外側端部よりも幅方向中央の方が長くなる。着用者の腹の膨らみは、製品幅方向外側端部よりも製品幅方向中央が大きく、脚を伸ばした際の皮膚の伸び縮み量も、製品幅方向外側端部よりも製品幅方向中央が大きくなる。脚の曲げ伸ばしに応じて製品幅方向中央における中間領域の製品長手方向における移動量を、着用者の身体の膨らみに合わせることができ、身体の動きに追従して、使い捨ておむつの前胴回り域を移動させることができる。
【００５３】
中間領域によって脚の動きによる皮膚の伸び縮みを吸収し、襞５１よりも製品長手方向外側の第１領域の位置ずれを抑制し、乳幼児の出っ張ったお腹を覆った状態を維持できる。着用者が脚を曲げ伸ばしした際に、着用者の下腹部及び中腹部付近にて、使い捨ておむつが突っ張る不具合を抑制できる。また、乳幼児のお腹を覆った状態を維持する際に、過剰な伸縮抵抗で締め付けることがないため、着用者の内蔵への圧迫を抑制し、不快感を抑制できる。
【００５４】
すなわち、脚の曲げ伸ばしに対応して、腰回り開口部と脚回り開口部との距離を変化させ、脚回り開口部と脚回り開口部との間の領域が突っ張ってしまったり、腰回り開口部が股下域側に位置ずれしてしまったり不具合を抑制できる。
【００５５】
更に、第２伸縮性領域１２が設けられていないと、使い捨ておむつにおいて下腹部に当接する領域が、一旦股下域側に引き下がった後に、引き上がり難くなるおそれがある。しかし、第２伸縮性領域１２が設けられているため、引き下がった使い捨ておむつが製品幅方向に収縮することにより、一旦引き下がった使い捨ておむつが中腹側に引き上がりやすくなる。更に、第１伸縮性領域１１及び第２伸縮性領域１２によって着用者の腰回りに使い捨ておむつを保持できるため、排泄物の重みによって使い捨ておむつが股下域に引き下がることを抑制できる。
【００５６】
第１伸縮性領域１１と第２伸縮性領域１２の間の中間領域Ｒ３の製品幅方向の伸縮率は、第１伸縮性領域１１が配置された第１領域Ｒ１の伸縮率及び第２伸縮性領域１２が配置された第２領域Ｒ２の伸縮率よりも低い。中間領域Ｒ３の製品幅方向の伸縮率が低い場合には、着用者が脚を曲げ伸ばしして第２伸縮性領域が着用者の股間側にずれる際に、中間領域が展開しやすい。
【００５７】
なお、第１伸縮性領域１１と第２伸縮性領域１２の間の中間領域Ｒ３の製品幅方向の伸縮率は、第１伸縮性領域１１が配置された第１領域Ｒ１の伸縮率及び第２伸縮性領域１２が配置された第２領域Ｒ２の伸縮率と同じであってもよいし、第１伸縮性領域１１が配置された第１領域Ｒ１の伸縮率及び第２伸縮性領域１２が配置された第２領域Ｒ２の伸縮率よりも高くてもよい。
【００５８】
また、第１伸縮性領域１１の製品長手方向内側端部よりも製品長手方向外側に吸収性コアが配置されているため、中間領域Ｒ３を超えて体液が拡散した際に、第１伸縮性領域１１よりも製品長手方向外側に位置する第１吸収性コア４１ａによって体液を吸収できる。
【００５９】
また、吸収性コア４ａは、第１伸縮性領域１１と第２伸縮性領域１２の間の中間領域Ｒ３には設けられてない。中間領域に吸収性コアが設けられていると、当該領域の剛性が高くなり、脚の動きに応じて当該領域の長さが円滑に変化しないおそれがある。しかし、中間領域に吸収性コアが設けられていないため、当該領域の剛性が高くなりすぎることを抑制し、当該領域の長さを円滑に変化させることができる。
【００６０】
第１伸縮性領域と前胴回り域の前側端部の距離は、製品幅方向において変化している。製品幅方向中央における第１伸縮性領域と前胴回り域の前側端部との距離は、前胴回り域の製品幅方向端部における第１伸縮性領域と前胴回り域の前側端部との距離よりも長い
第１伸縮性領域が着用者の腰回りに沿って配置された状態で、第１伸縮性領域よりも前側端部に突出する領域が、幅方向中央と、幅方向端部とで異なる。
【００６１】
おむつの幅方向中央は、おむつの幅方向端部よりも、着用者の腹の膨らみを覆う面積が必要である。製品幅方向中央における第１伸縮性領域と前胴回り域の前側端部との距離は、前胴回り域の製品幅方向端部における第１伸縮性領域と前胴回り域の前側端部との距離よりも長いため、製品幅方向中央において、着用者の腹の膨らみを覆いやすくなる。
【００６２】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００６３】
例えば、使い捨ておむつは、予めパンツ型に成形されてなく、いわゆるテープ型の使い捨ておむつであってもよい。テープ型の使い捨ておむつは、後胴回り域にファスニングテープが設けられ、前胴回り域にファスニングテープが止着されるターゲット部が設けられている。このファスニングテープとターゲット部との係合によって、着用者の胴回りに沿って使い捨ておむつが保持される。オープンタイプの使い捨ておむつにおいては、ファスニングテープとターゲット部との係合によって、着用者の胴回りに沿って使い捨ておむつが保持される胴回り保持部よりも股下側に、第１伸縮性領域、第２伸縮性領域及び中間領域が設けられる。このような構成によれば、胴回り保持部によって着用者の胴回りに使い捨ておむつを保持した状態で、当該胴回り保持部よりも股下側の領域を、脚の動きに追従して変形させることができる。
【００６４】
また、中間領域は、少なくとも製品長手方向に伸縮する伸縮性シートによって形成されていてもよい。中間領域を構成する伸縮性シートは、第１伸縮性領域１１を構成する伸縮性シート及び第２伸縮性領域１２を構成する伸縮性シートと同様の材料を用いることができる。なお、中間領域を構成する伸縮性シートは、第１伸縮性領域と第２伸縮性領域の間の領域は、第１伸縮性領域が配置された領域及び第２伸縮性領域が配置された領域よりも伸縮率が低くなるように構成されていればよい。
【００６５】
更に、中間領域を構成する外装シートが伸縮性を有するシートであって、当該伸縮性を有するシートに襞を形成してもよい。
【００６６】
また、前胴回り域の前側端部に、製品幅方向に伸縮する第３伸縮性領域が設けられていてもよい。第３伸縮性領域を設けることにより、腰回り開口部を着用者の腰回りに密着させることができる。
【００６７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００６８】
１        ：使い捨ておむつ
１Ａ      ：吸収性本体
１Ｂ      ：外装体
２        ：表面シート
３        ：裏面シート
４        ：吸収体
５        ：本体外装シート
１１      ：第１伸縮性領域
１２      ：第２伸縮性領域
１３      ：外装シート
２１      ：腰回り開口部
２２      ：脚回り開口部
３０      ：サイド接合部
４１ａ      ：第１吸収性コア
４２ａ      ：第２吸収性コア
Ｌ        ：製品長手方向
Ｔ        ：製品厚み方向
Ｗ        ：製品幅方向
Ｓ１      ：前胴回り域
Ｓ２      ：後胴回り域
Ｓ３      ：股下域
Ｔ１      ：内方向
Ｔ２      ：外方向
【図１】
2015073640.tif 000003
【図２】
2015073640.tif 000004
【図３】
2015073640.tif 000005
【図４】
2015073640.tif 000006
【図５】
2015073640.tif 000007